(57)【要約】【課題】  水返し部材によって浴室壁とエプロンとの間からの水の浸入を阻止するのに加えて水返し部材の下端面と床パンの上面との間からの水の浸入をも阻止することができる浴槽の止水構造を提供する。【解決手段】浴室壁１に水返し部材２を固定して洗い場側から浴室壁１とエプロン４との間を通って浴槽３側に水が浸入するのを阻止する浴槽の止水構造である。水返し部材２の下端面２ａを該下端面２ａが当接する床パン５の上面５ａと同形状に形成すると共に、水返し部材２を浴室壁１に固着具６にて固定するための固着具挿通孔２４を上下に長い長孔とした。【選択図】図１
2008289814.tif 000002
【特許請求の範囲】
【請求項１】
浴室壁に水返し部材を固定して洗い場側から浴室壁とエプロンとの間を通って浴槽側に水が浸入するのを阻止する浴槽の止水構造であって、水返し部材の下端面を該下端面が当接する床パンの上面と同形状に形成すると共に、水返し部材を浴室壁に固着具にて固定するための固着具挿通孔を上下に長い長孔として成ることを特徴とする浴槽の止水構造。
【発明の詳細な説明】
【技術分野】
【０００１】
本発明は、浴室壁とエプロンとの間を通って浴槽側に水が浸入するのを阻止する浴槽の止水構造に関するものである。
【背景技術】
【０００２】
従来より、洗い場側から浴室壁とエプロンとの間を通って浴槽側に水が浸入するのを阻止するため、水返し部材を設けた浴槽の止水構造が知られている。（例えば特許文献１参照）
特許文献１に示されるものは、床パンに洗い場部と浴槽部とが形成してあり、浴槽部に浴槽を設置すると共に、浴槽のフランジから床パンの洗い場部と浴槽部の間の部分にかけてエプロンが設けてあり、この時、浴室壁とエプロンとの間を通って浴槽側に水が浸入するのを防止するため、水返し部材を浴室壁に固定するものである。
【０００３】
しかしながら、この特許文献１に示される従来例にあっては、水返し部材によって浴室壁とエプロンとの間からの水の浸入を大部分阻止することができるが、その下端部にあっては、水返し部材の下端面と床パンの上面との間に隙間ができてしまい、この隙間を通って水が浸入してしまうものであった。
【特許文献１】特開２００３−３２８４１６号公報
【発明の開示】
【発明が解決しようとする課題】
【０００４】
本発明は上記の点に鑑みてなされたものであり、その目的とするところは、水返し部材によって浴室壁とエプロンとの間からの水の浸入を阻止するのに加えて水返し部材の下端面と床パンの上面との間からの水の浸入をも阻止することができる浴槽の止水構造を提供することを課題とするものである。
【課題を解決するための手段】
【０００５】
上記課題を解決するために請求項１に係る発明にあっては、浴室壁１に水返し部材２を固定して洗い場側から浴室壁１とエプロン４との間を通って浴槽３側に水が浸入するのを阻止する浴槽の止水構造であって、水返し部材２の下端面２ａを該下端面２ａが当接する床パン５の上面５ａと同形状に形成すると共に、水返し部材２を浴室壁１に固着具６にて固定するための固着具挿通孔２４を上下に長い長孔として成ることを特徴とするものである。
【０００６】
このような構成とすることで、水返し部材２の下端面２ａを床パン５の上面５ａに隙間なく当接させることができ、これにあたり、固着具挿通孔２４を上下に長い長孔としてあるため、固着具６を固着具挿通孔２４に挿通して浴室壁１に仮固定して水返し部材２を上下方向に位置調整して本固定をすることで、確実に水返し部材２の下端面２ａを床パン５の上面５ａに隙間なく当接させることができるものである。
【発明の効果】
【０００７】
本発明にあっては、水返し部材の下端面を床パンの上面に隙間なく当接させることができて、水返し部材によって浴室壁とエプロンとの間からの水の浸入を阻止するのに加えて水返し部材の下端面と床パンの上面との間からの水の浸入をも阻止することができる。また、固着具挿通孔を上下に長い長孔としたことで、固着具を固着具挿通孔に挿通して浴室壁に仮固定して水返し部材を上下方向に位置調整して本固定をすることで、確実に水返し部材の下端面を床パンの上面に隙間なく当接させることができる。
【発明を実施するための最良の形態】
【０００８】
以下、本発明を添付図面に示す実施形態に基いて説明する。浴室には、床パン５が設置されると共に、床パン５の周囲には壁パネル１１が載置される。床パン５の周縁部には、立設片５１が立設してあると共に立設片５１の上端部からはフランジ３１状の載置片５２が連設されており、載置片５２の外縁部からは上縦片５３が立設してある。そして、載置片５２上に壁パネル１１を載置することで浴室壁１が形成される。
【０００９】
また床パン５には、中間部に両方の部位に仕切る堰部５０が設けてある。この堰部５０は、床パン５の中間部において一側端から他側端にかけて直線状に、上面５ａの断面が敷居状となるように形成したもので、この堰部５０の両側の床パン５上面５ａがそれぞれ洗い場部および浴槽部となる。
【００１０】
床パン５の浴槽部には浴槽３が設置される。そして、浴槽３のフランジ３１の洗い場側の外縁にはエプロン４が設けられる。エプロン４は、上端部が浴槽３のフランジ３１の洗い場側の外縁に取付けられると共に下端部が床パン５の堰部５０に取付けられ、両側端部がそれぞれ浴室壁１に後述する水返し部材２を介して取付けられ、床パン５の洗い場部から浴槽３部へと水が浸入するのを阻止するものである。そして本発明では、従来問題となっていた水返し部材２の下端面２ａと床パン５の上面５ａとの間に形成される隙間からの水の浸入を阻止するもので、以下に説明する。
【００１１】
水返し部材２は、浴室壁１にビス等の固着具６により固定して、エプロン４の側端部と当接させることで、エプロン４と浴室壁１との間に隙間が形成されないようにする。そして更に、水返し部材２の下端面２ａを該下端面２ａが当接する床パン５の上面５ａと同形状に形成して、水返し部材２の下端面２ａと床パン５の上面５ａとの間に水が浸入可能な隙間が形成されないようにするものである。
【００１２】
本実施形態では、水返し部材２の下端面２ａは堰部５０の上面５ａに当接する。堰部５０は本実施形態では、中間部は床パン５の載置片５２の上面５ａよりも上方に位置して平面となっていると共に、床パン５の端縁付近の端部では上面５ａが床パン５の載置片５２の上面５ａにかけて傾斜した平面となっている。そして、水返し部材２の下端面２ａを前記載置片５２の上面５ａに沿って当接するよう傾斜した平面としてある。水返し部材２は、浴室壁１の表面に取付けられる上下を長手方向とする取付片２１と、取付片２１の短手方向（左右方向）の一端縁から浴室壁１の表面から離れる方向に突出する突出片２２と、突出片２２の突出端部から取付片２１と離れる方向に浴室壁１の表面と略平行に連設される被着片２３とからなるものである。取付片２１には、浴室壁１の表面にビス等の固着具６により固定するための固着具挿通孔２４が穿設してある。この固着具挿通孔２４は、上下に長い長孔として、固着具挿通孔２４内を固着具６の軸部が上下に移動自在となっていて、水返し部材２を浴室壁１に固定する際、固着具６を固着具挿通孔２４に挿通して浴室壁１に仮固定して、水返し部材２を上下方向に位置調整して本固定をすることが可能となっている。
【００１３】
上記のような構成によれば、水返し部材２の下端面２ａを床パン５の上面５ａと同形状に形成したことで、水返し部材２の下端面２ａを床パン５の上面５ａに隙間なく当接させることができ、水返し部材２の下端面２ａと床パン５の上面５ａとの間から水が浸入するのを阻止することができる。
【００１４】
またこれにあたり、固着具挿通孔２４を上下に長い長孔としてあるため、固着具６を固着具挿通孔２４に挿通して浴室壁１に仮固定して水返し部材２を上下方向に位置調整して本固定をすることができ、確実に水返し部材２の下端面２ａを床パン５の上面５ａに隙間なく当接させることができる。
【図面の簡単な説明】
【００１５】
【図１】本発明の一実施形態の要部の側断面図である。
【図２】同上の要部の平面断面図である。
【図３】同上の水返し部材を示し、（ａ）は平面図であり、（ｂ）は側面図であり、（ｃ）は正面図である。
【符号の説明】
【００１６】
１    浴室壁
１１  壁パネル
２    水返し部材
２ａ  下端面
２１  取付片
２２  突出片
２３  被着片
２４  固着具挿通孔
３    浴槽
３１  フランジ
４    エプロン
５    床パン
５ａ  上面
５０  堰部
５１  立設片
５２  載置片
５３  上縦片  
６    固着具
【図１】
2008289814.tif 000003
【図２】
2008289814.tif 000004
【図３】
2008289814.tif 000005